(57)【特許請求の範囲】
【請求項１】
カメラが設置される領域を示す情報を取得する取得手段と、
前記カメラが設置される領域を示す情報とともに、前記領域内の少なくとも一部の領域の明るさに関する情報を表示手段に表示させる表示制御手段と
を有し、
前記表示制御手段は、前記明るさに関する情報として、前記カメラが備える照明部の照射範囲を前記表示手段に表示させることを特徴とする情報処理装置。
【請求項２】
前記照明部の照射角度及び照射距離情報を参照し、前記照射範囲を算出する第１の算出手段をさらに有し、
前記表示制御手段は、前記明るさに関する情報として、前記第１の算出手段により算出された前記照射範囲を前記表示手段に表示させることを特徴とする請求項１に記載の情報処理装置。
【請求項３】
前記表示制御手段は、前記明るさに関する情報として、前記照明部の照射距離を前記表示手段に表示させることを特徴とする請求項１に記載の情報処理装置。
【請求項４】
前記表示制御手段は、前記照射距離に応じた長さの、前記カメラの撮影方向に沿った直線を、前記照射距離として前記表示手段に表示させることを特徴とする請求項３に記載の情報処理装置。
【請求項５】
前記表示制御手段は、前記カメラの撮影範囲と前記照射範囲とが重なる場合に、前記撮影範囲と前記照射範囲の重なり領域を識別可能に前記表示手段に表示させることを特徴とする請求項１乃至４の何れか１項に記載の情報処理装置。
【請求項６】
前記表示制御手段は、前記カメラが設置される領域を示す情報とともに、前記カメラを示すカメラシンボルと、前記カメラの撮影範囲とを前記表示手段に表示させることを特徴とする請求項１乃至５の何れか１項に記載の情報処理装置。
【請求項７】
前記カメラが設置される領域を示す情報に対する、前記カメラの配置指示を受け付ける第１の受付手段をさらに有し、
前記表示制御手段は、前記配置指示に係る前記カメラを示す前記カメラシンボル及び前記撮影範囲を前記表示手段に表示させることを特徴とする請求項６に記載の情報処理装置。
【請求項８】
前記表示制御手段は、前記明るさに関する情報として、前記カメラと別の機器である照明機器の照射範囲を前記表示手段に表示させることを特徴とする請求項１乃至７の何れか１項に記載の情報処理装置。
【請求項９】
前記照明機器の照射角度情報を参照し、前記照明機器の照射範囲を算出する第２の算出手段をさらに有し、
前記表示制御手段は、前記明るさに関する情報として、前記第２の算出手段により算出された前記照射範囲を前記表示手段に表示させることを特徴とする請求項８に記載の情報処理装置。
【請求項１０】
カメラが設置される領域を示す情報を取得する取得手段と、
前記カメラが設置される領域を示す情報とともに、前記領域内の少なくとも一部の領域の明るさに関する情報を表示手段に表示させる表示制御手段と
を有し、
前記表示制御手段は、前記明るさに関する情報として、前記カメラとは別の機器である照明機器の照射距離を前記表示手段に表示させることを特徴とする情報処理装置。
【請求項１１】
カメラが設置される領域を示す情報を取得する取得手段と、
前記カメラが設置される領域を示す情報とともに、前記領域内の少なくとも一部の領域の明るさに関する情報を表示手段に表示させる表示制御手段と
を有し、
前記表示制御手段は、前記カメラの撮影範囲と、前記カメラとは別の機器である照明機器の照射範囲とが重なる場合に、前記撮影範囲と、前記照明機器の前記照射範囲との重なり領域を識別可能に前記表示手段に表示させることを特徴とする情報処理装置。
【請求項１２】
前記表示制御手段は、前記撮影範囲と、前記照明機器の前記照射範囲とが重なる場合に、重なる旨の警告メッセージを前記表示手段に表示させることを特徴とする請求項１１に記載の情報処理装置。
【請求項１３】
前記カメラが設置される領域を示す情報に対する、前記照明機器の配置指示を受け付ける第２の受付手段をさらに有し、
前記表示制御手段は、前記配置指示に係る前記照明機器を示すシンボル及び前記照明機器の照射範囲を前記表示手段に表示させることを特徴とする請求項８乃至１２の何れか１項に記載の情報処理装置。
【請求項１４】
カメラが設置される領域を示す情報を取得する取得手段と、
前記カメラが設置される領域を示す情報とともに、前記領域内の少なくとも一部の領域の明るさに関する情報を表示手段に表示させる表示制御手段と、
前記カメラの周囲の明るさに関する情報に基づいて、撮影範囲を特定する特定手段と
を有し、
前記表示制御手段は、前記カメラが設置される領域を示す情報とともに、前記特定手段により特定された前記撮影範囲を前記表示手段に表示させることを特徴とする情報処理装置。
【請求項１５】
カメラが設置される領域を示す情報を取得する取得手段と、
前記カメラが設置される領域を示す情報とともに、前記領域内の少なくとも一部の領域の明るさに関する情報を表示手段に表示させる表示制御手段と
を有し、
前記明るさに関する情報は、前記カメラによって撮像されたときの明るさに関する情報であることを特徴とする情報処理装置。
【請求項１６】
カメラが設置される領域を示す情報に対する、所定の位置へのカメラの配置指示を受け付ける受付手段と、
前記配置指示に係る位置の明るさに関する情報に基づいて、前記カメラの撮影範囲を特定する特定手段と、
カメラが設置される領域を示す情報とともに、前記特定手段により特定された前記撮影範囲を表示手段に表示させる表示制御手段と
を有することを特徴とする情報処理装置。
【請求項１７】
情報処理装置が実行する情報処理方法であって、
カメラが設置される領域を示す情報を取得する取得ステップと、
前記カメラが設置される領域を示す情報とともに、前記領域内の少なくとも一部の領域の明るさに関する情報を表示手段に表示させる表示制御ステップとを含み、
前記表示制御ステップでは、前記明るさに関する情報として、前記カメラが備える照明部の照射範囲を前記表示手段に表示させることを特徴とする情報処理方法。
【請求項１８】
情報処理装置が実行する情報処理方法であって、
カメラが設置される領域を示す情報を取得する取得ステップと、
前記カメラが設置される領域を示す情報とともに、前記領域内の少なくとも一部の領域の明るさに関する情報を表示手段に表示させる表示制御ステップと
を含み、
前記表示制御ステップでは、前記明るさに関する情報として、前記カメラとは別の機器である照明機器の照射距離を前記表示手段に表示させることを特徴とする情報処理方法。
【請求項１９】
情報処理装置が実行する情報処理方法であって、
カメラが設置される領域を示す情報を取得する取得ステップと、
前記カメラが設置される領域を示す情報とともに、前記領域内の少なくとも一部の領域の明るさに関する情報を表示手段に表示させる表示制御ステップと
を含み、
前記表示制御ステップでは、前記カメラの撮影範囲と、前記カメラとは別の機器である照明機器の照射範囲とが重なる場合に、前記撮影範囲と、前記照明機器の前記照射範囲との重なり領域を識別可能に前記表示手段に表示させることを特徴とする情報処理方法。
【請求項２０】
情報処理装置が実行する情報処理方法であって、
カメラが設置される領域を示す情報を取得する取得ステップと、
前記カメラが設置される領域を示す情報とともに、前記領域内の少なくとも一部の領域の明るさに関する情報を表示手段に表示させる表示制御ステップと、
前記カメラの周囲の明るさに関する情報に基づいて、撮影範囲を特定する特定ステップと
を含み、
前記表示制御ステップでは、前記カメラが設置される領域を示す情報とともに、前記特定ステップにより特定された前記撮影範囲を前記表示手段に表示させることを特徴とする情報処理方法。
【請求項２１】
情報処理装置が実行する情報処理方法であって、
カメラが設置される領域を示す情報を取得する取得ステップと、
前記カメラが設置される領域を示す情報とともに、前記領域内の少なくとも一部の領域の明るさに関する情報を表示手段に表示させる表示制御ステップと
を含み、
前記明るさに関する情報は、前記カメラによって撮像されたときの明るさに関する情報であることを特徴とする情報処理方法。
【請求項２２】
情報処理装置が実行する情報処理方法であって、
カメラが設置される領域を示す情報に対する、所定の位置へのカメラの配置指示を受け付ける受付ステップと、
前記配置指示に係る位置の明るさに関する情報に基づいて、前記カメラの撮影範囲を特定する特定ステップと、
カメラが設置される領域を示す情報とともに、前記特定ステップにより特定された前記撮影範囲を表示手段に表示させる表示制御ステップと
を含むことを特徴とする情報処理方法。
【請求項２３】
コンピュータを、請求項１、１１、１４乃至１６の何れか１項に記載の情報処理装置として機能させるためのプログラム。
【発明の詳細な説明】
【技術分野】
【０００１】
本発明は、情報処理装置、情報処理方法及びプログラムに関する。
【背景技術】
【０００２】
従来、監視カメラの配置検討時において、検討者は、通常、特定領域に対し、どのように監視カメラを配置して監視するか検討を行う。監視カメラの配置検討時に、図面上に、監視カメラの配置場所と撮影領域を描画して、監視カメラの配置検討を支援する配置支援装置が知られている。従来の配置支援装置では、特定領域の図面データを表示し、表示した図面データ上においてカメラの設置位置を指定すると、設置位置にカメラのシンボルが表示され、さらに設置位置のカメラの撮影範囲が表示される。特許文献１には、カメラの設置位置に基づき、カメラの監視エリアをマップ上に描画する技術が開示されている。
【先行技術文献】
【特許文献】
【０００３】
【特許文献１】特開２０１３−１８３４２０号公報
【発明の概要】
【発明が解決しようとする課題】
【０００４】
しかしながら、被写体と監視カメラの位置関係が適切であっても、例えば被写体近くに設置された照明機器に起因した逆光により被写体の適切な撮影が行えない場合があるという問題があった。
【０００５】
本発明はこのような問題点に鑑みなされたもので、適切な撮影画像を得ることができるようなカメラの配置を支援することを目的とする。
【課題を解決するための手段】
【０００６】
情報処理装置であって、カメラが設置される領域を示す情報を取得する取得手段と、前記カメラが設置される領域を示す情報とともに、前記領域内の少なくとも一部の領域の明るさに関する情報を表示手段に表示させる表示制御手段とを有し、前記表示制御手段は、前記明るさに関する情報として、前記カメラが備える照明部の照射範囲を前記表示手段に表示させる。
【０００７】
情報処理装置であって、カメラが設置される領域を示す情報に対する、所定の位置へのカメラの配置指示を受け付ける受付手段と、前記配置指示に係る位置の明るさに関する情報に基づいて、前記カメラの撮影範囲を特定する特定手段と、カメラが設置される領域を示す情報とともに、前記特定手段により特定された前記撮影範囲を表示手段に表示させる表示制御手段とを有する。
【発明の効果】
【０００８】
本発明によれば、適切な撮影画像を得ることができるようなカメラの配置を支援することができる。
【図面の簡単な説明】
【０００９】
【図１】情報処理装置を示す図である。
【図２】支援処理において必要な情報の説明図である。
【図３】支援画面の一例を示す図である。
【図４】支援処理を示すフローチャートである。
【図５】機器シンボルの描画処理を示すフローチャートである。
【図６】撮影範囲の描画処理を示すフローチャートである。
【図７】撮影範囲と照射範囲の説明図である。
【図８】付属照明の描画処理を示すフローチャートである。
【図９】照明機器の描画処理を示すフローチャートである。
【図１０】照射範囲の説明図である。
【図１１】撮影範囲と照射範囲の説明図である。
【発明を実施するための形態】
【００１０】
以下、本発明の実施形態について図面に基づいて説明する。
以下に説明する情報処理装置は、特定領域としてのカメラが設置される領域を示す図面データ上に、監視カメラを示すシンボルを配置して表示することにより、実際の監視領域における適切な監視カメラの配置を決定する作業を支援するものである。本実施形態に係る情報処理装置は、監視領域の図面データ上に、監視カメラの位置、監視カメラの撮影範囲だけでなく、明るさに関する情報を表示する。したがって、本情報処理装置のユーザは、明るさによる被写体等の写り方の違いを考慮した監視カメラの配置位置を決定することができる。なお、監視カメラを示すシンボルとは、監視カメラを示すアイコンや、監視カメラを示す図形、監視カメラの外観を撮像して得た画像等である。シンボルは、監視カメラのことを示しているということがユーザによって認識可能なものであればよい。また、明るさに関する情報とは、監視カメラによって撮像されたときの明るさを示す情報でもよい。例えば、赤外光を投光し、赤外光が投光された被写体を撮影する場合、人が視認できる明るさと、撮像された画像における明るさとが異なる場合がある。そのような場合は、明るさに関する情報を、監視カメラによって撮像されたときの明るさを示す情報とすればよい。また、監視カメラを例に説明するがその他の用途のカメラにも適用可能である。
【００１１】
また、本実施形態に係る情報処理装置は、３つの手段により明るさに関する情報をユーザに提供する。３つの手段とは、次の通りである。１つ目の手段は、ＬＥＤが内蔵されている監視カメラもしくは赤外線投光器において、監視カメラの撮影方向に応じて撮影領域に加え、光源の照射範囲も表示するものである。２つ目の手段は、図面データ上に外光等の照明を示すシンボルを配置可能とし、その照明における照射範囲と監視カメラの撮影領域とを関連付けて配置するものである。また、３つ目の手段は、監視カメラ周辺の照度情報に応じて撮影領域を決定するものである。これらの手段は一例であり、例えば、情報処理装置は、上記３つの手段のうちいずれか１つの手段を用いてもよく、複数の手段を組み合わせて用いてもよい。
【００１２】
（第１の実施形態）
図１は、第１の実施形態に係る情報処理装置１００を示す図である。情報処理装置１００は、ＣＰＵ１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、外部記憶装置１０４とを有している。情報処理装置１００はまた、ＩｎｐｕｔＩ／Ｆ１０５と、入力装置１０６と、ＯｕｔｐｕｔＩ／Ｆ１０７と、出力装置１０８と、ネットワークＩ／Ｆ１０９と、システムバス１１０とを有している。
【００１３】
ＣＰＵ１０１は、コンピュータシステムの全体の制御処理を行う。ＲＯＭ１０２は、読出し専用メモリである。ＲＯＭ１０２としては、ユーザが電気的にプログラムを書き込むことができるＰＲＯＭ（Ｐｒｏｇｒａｍｍａｂｌｅ  ＲＯＭ）と、製造するときに内容を書き込むマスクＲＯＭと、があるが、本実施の形態においては何れのＲＯＭであってもよい。
【００１４】
ＲＡＭ１０３は、自由書き込み・自由読出しができるメモリである。ＲＡＭ１０３は、本実施の形態の処理を行う際に一時的にデータを蓄える等の機能を有する。外部記憶装置１０４は、不揮発性の記憶装置である。外部記憶装置１０４には、例えば、ＨＤドライブ、ＦＤドライブ、ＭＯドライブ、ＣＤ−ＲＷドライブ、ＤＶＤ−ＲＷドライブ、Ｂｌｕ−ｒａｙ（登録商標）ドライブ等がある。外部記憶装置１０４はプログラムデータを格納するとともに、プログラムデータの動作に必要なデータを格納することができる。なお、後述する情報処理装置１００の機能や処理は、ＣＰＵ１０１がＲＯＭ１０２又は外部記憶装置１０４に格納されているプログラムを読み出し、このプログラムを実行することにより実現されるものである。例えば、情報処理装置１００における、描画機能や、取得機能、算出機能、特定機能等が実現される。なお、上記のＣＰＵ１０１等のハードウェア構成は、これらの機能を実現するための一例であり、その他のハードウェアによっても実現することができる。また、描画するとは、言い換えると、表示部に画像やシンボル等を表示させることである。つまり、描画機能とは表示制御機能でもあり、以下の説明において、描画するとは表示制御することも含むこととする。また、描画するとは、表示部にシンボル等を表示させるための画像データを生成することであってもよい。
【００１５】
ＩｎｐｕｔＩ／Ｆ１０５は、キーボード、マウス等からの入力装置１０６からの入力信号を処理するものであり、情報処理装置１００の操作及びデータ入力に用いられるものである。例えば、ＩｎｐｕｔＩ／Ｆ１０５によって、情報処理装置１００における受付機能が実現される。なお、ＩｎｐｕｔＩ／Ｆ１０５は、受付機能を実現するための一例であり、その他のハードウェアによっても実現することができる。
【００１６】
入力装置１０６は、ＩｎｐｕｔＩ／Ｆ１０５を経由してコンピュータシステムへ入力信号を送るためのキーボード、マウス等である。ＯｕｔｐｕｔＩ／Ｆ１０７は、情報処理装置１００に接続されるモニタやプリンタ等からの出力信号を処理するものであり、情報処理装置１００の操作及びデータ出力に用いられるものである。出力装置１０８は、ＯｕｔｐｕｔＩ／Ｆ１０７を経由して出力信号を受信して処理する表示装置を示している。出力装置１０８は、ＣＲＴ、液晶ディスプレイ、プラズマディスプレイ、リアプロジェクションテレビまたはフロントプロジェクタおよびその制御回路を用いて実現される。
【００１７】
ネットワークＩ／Ｆ１０９は、イントラネット等のネットワークに接続するための通信制御を処理し、ユーザの環境に応じてさまざまな通信インタフェースが適用される。無線ＬＡＮやイーサーネットインタフェースに接続される。システムバス１１０は、コンピュータシステム内の各ブロック間の各種データのやりとり及び電力の供給をするものである。システムバス１１０は、アドレス線、データ線、制御線、電源・グラウンド線等からなる。
【００１８】
次に、図２を参照しつつ、情報処理装置１００が、図面データ（カメラが設置される領域を示す情報）を表示し、ユーザ操作に応じて、図面データ上に、監視カメラを示す画像等の必要な情報を描画する、支援処理において必要な情報について説明する。情報処理装置１００は、主に、図面管理情報、設置機器管理情報、被写体管理情報及び照明機器管理情報を用いて、支援処理を行う。
【００１９】
図面管理情報は、撮影機器としての監視カメラを配置する領域、即ち監視領域を示す図面データや、図面データに関連する情報等を含んでいる。図面管理情報は、ユーザにより表示対象の図面データが選択された場合に、情報処理装置１００により生成され、例えばＲＡＭ１０３に記録される。図２（ａ）は、図面管理情報のデータ構成の一例を示す図である。図面管理情報には、図面データタイプ情報２０１と、図面データ２０２と、縮尺サイズ情報２０３と、が格納される。図面データタイプ情報２０１には、図面データのフォーマット形式を示す情報が格納される。フォーマット形式としては、例えば、Ｂｉｔｍａｐ形式（.ｂｍｐ）、ＪＰＥＧ形式（.ｊｐｅｇ）、ＰＮＧ形式（.ｐｎｇ）、ＡｕｔｏＣＡＤ形式（.ｄｘｆ）等の画像データ又はＣＡＤフォーマット等が挙げられる。情報処理装置１００は、格納された図面データフォーマット形式を参照することにより、表示する図面データのフォーマット形式に変換し描画を行う。なお、図面データには、カメラが配置される領域における、部屋の区切りや棚等を示す情報が含まれていてもよい。また、図面データには、カメラが配置される領域における、道路や建物を示す情報が含まれていてもよい。つまり、図面データとは建物の間取り図や地図のような情報であってもよい。
【００２０】
図面データ２０２には、情報処理装置１００に読み込まれた図面データのリンク情報又は図面データが格納される。縮尺サイズ情報２０３には、読み込まれた図面データの実サイズに関わる情報が格納される。情報処理装置１００は、例えば、出力装置１０８上に表示する図面データの特定の長さに対する実寸サイズを取得し、実寸サイズと図面データの特定の長さとに基づいて、縮尺を算出し、これを縮尺サイズ情報２０３に格納する。
【００２１】
次に、被写体管理情報について説明する。被写体管理情報は、図面データ上に配置される、監視カメラの被写体を示す画像データや、被写体に関連する情報等を含んでいる。ここで、被写体としては、人や車、壁等のオブジェクトが挙げられるが、被写体の種類はこれらに限定されるものではない。情報処理装置１００は、人、車、壁等タイプの異なる被写体それぞれに対応する、複数の被写体管理情報をリストテーブルとして、予め外部記憶装置１０４等の記憶部に格納している。
【００２２】
図２（ｂ）は、被写体管理情報のデータ構成の一例を示す図である。被写体管理情報には、例えば、被写体分類情報２１１と、被写体シンボルデータ２１２と、被写体座標情報２１３と、被写体設定情報２１４と、が格納される。被写体分類情報２１１には、被写体のタイプを示す情報が格納される。被写体シンボルデータ２１２には、例えばポリゴンデータ等、図面データ上に被写体として描画するシンボルの画像が格納される。被写体座標情報２１３には、図面データ上における被写体の配置位置を示す情報が格納される。被写体設定情報２１４には、被写体の特徴を示す情報が格納される。被写体の特徴としては、例えば色等が挙げられる。なお、被写体座標情報２１３は、初期状態においては空欄である。そして、ユーザにより、被写体が図面データ上に配置された場合に、ＣＰＵ１０１は、配置された図面データ上の座標を被写体座標情報２１３に書き込む。
【００２３】
次に、設置機器管理情報について説明する。設置機器管理情報は、図面データ上に配置される監視カメラ等の設置機器を示すアイコン等のシンボルの画像データや、設置機器に関連する情報等を含んでいる。なお、設置機器としては、監視カメラの他、照明機器や、スピーカ、赤外線投光器が挙げられるが、設置機器の種類はこれらに限定されるものではない。情報処理装置１００は、機器の種類や性能等の異なる設置機器それぞれに対応する、複数の設置機器管理情報をリストテーブルとして、予め外部記憶装置１０４等の記憶部に格納している。
【００２４】
図２（ｂ）は、監視カメラに係る設置機器管理情報のデータ構成の一例を示す図である。設置機器管理情報には、設置機器を識別する情報や機能仕様を示す情報が格納される。具体的には、設置機器管理情報には、設置機器を示す機器名４０１と、機器の種類を示す分類情報４０２と、が格納される。また、設置機器管理情報には、設置機器としての監視カメラの有効画素数４０３と、レンズ情報４０４と、焦点情報４０５と、Ｆ値４０６と、が格納される。設置機器管理情報には、加えて、画角情報となる水平画角情報４０７及び垂直画角情報４０８と、パン角度範囲４０９と、チルト角度範囲４１０と、光源情報４１１と、照射角度情報４１２と、照射距離情報４１３と、が格納される。
【００２５】
また、設置機器管理情報には、設置機器シンボルデータ４１４と、設置機器座標情報４１５と、が格納される。設置機器シンボルデータ４１４には、例えば、シンボルデータ等、図面データ上に設置機器のシンボルとして描画する画像が格納される。設置機器座標情報４１５には、監視カメラの図面データ上における配置位置の座標を示す情報が格納される。なお、設置機器座標情報４１５は、初期状態においては空欄であり、設置機器が図面データ上に配置された場合に、配置された図面データ上の座標が書き込まれる。他の種類の設置機器管理情報のデータ構成は、監視カメラに係る設置機器管理情報と同様である。但し、他の種類の設置機器管理情報においては、監視カメラの性能に関する情報４０３〜４１３に替えて、対象となる設置機器の性能に関する情報が格納されるものとする。
【００２６】
図２（ｄ）は、照明機器に係る設置機器管理情報のデータ構成の一例を示す図である。照明機器の設置機器管理情報には、監視カメラに係る設置機器管理情報と同様に、機器名５０１と、分類名５０２と、設置機器シンボルデータ５０６と、設置機器座標情報５０７と、が格納される。照明機器の設置機器管理情報には、また、光源情報５０３と、照射距離情報５０４と、照射角度情報５０５と、が格納される。光源情報５０３は、例えば、ＬＥＤや白熱電球、蛍光灯等の光源の種類や数、光源の明るさ等の情報である。照射距離情報５０４は、光源の照射距離を示す情報である。照射角度情報５０５は、光源の照射角度を示す情報である。
【００２７】
図３は、監視カメラの配置に係る支援画面３００の一例を示す図である。支援画面３００は、機器リスト表示領域３０１と、図面データ表示領域３０２と、図面読込ボタン３０３と、被写体ボタン３０４と、を有している。図３の例では、図面データ表示領域３０２には、図面データが表示されている。図面データ上には、縮尺バー３０５が重ねて表示されている。さらに、図面データ上には、ユーザの指示により配置された監視カメラを示す設置機器シンボルである監視カメラシンボル３０６と、監視カメラの撮影範囲３０７とが重ねて表示されている。
【００２８】
機器リスト表示領域３０１には、設置機器管理情報のリストテーブルに示される設置機器がリスト表示される。図面データ表示領域３０２には、監視カメラを設置する特定領域、即ち監視領域を示す図面データが表示される。なお、ユーザにより図面読込ボタン３０３が選択され、情報処理装置１００により図面データが読み込まれると、読み込まれた図面データが図面データ表示領域３０２に表示される。なお、他の例としては、情報処理装置１００は、図面読み込み操作をメニュー表示することとし、ユーザがメニューより図面読み込み操作を選択した場合に、図面データを読み込むこととしてもよい。
【００２９】
図面データ表示領域３０２には、さらに、ユーザ操作に応じて、機器リスト表示領域３０１より配置選択された設置機器を示す設置機器シンボル３０６や、被写体ボタン３０４より選択配置された被写体を示す被写体シンボル３０８が表示される。また、設置機器が監視カメラの場合、設置機器シンボル３０６の配置位置を基準として、撮影範囲３０７が表示される。
【００３０】
なお、他の例としては、情報処理装置１００は、設置機器及び被写体の配置選択を受け付けるためのボタンを表示するのにかえて、メニューやリストを表示してもよい。さらに、情報処理装置１００は、配置された設置機器や被写体を移動したり、回転したりすることができる。縮尺バー３０５は、監視領域の図面データに対応する監視領域の実寸サイズの入力を受け付けるためのユーザインタフェースである。ユーザは、縮尺バー３０５の長さに対応する実寸サイズを入力する。ユーザは、例えば、縮尺バー３０５に対し、１００ｍといった数値を入力することができる。これに対応し、情報処理装置１００は、縮尺バー３０５に相当する距離が１００ｍになるように、表示対象の図面データに対して、変倍処理を施し、変倍後の図面データを図面データ表示領域３０２に表示する。これにより、ユーザは、図面データ表示領域３０２に表示中の図面データの縮尺を把握することができる。
【００３１】
図４は、情報処理装置１００による支援処理を示すフローチャートである。Ｓ４００において、ＣＰＵ１０１は、支援画面３００に、設置機器リストを表示する。具体的には、ＣＰＵ１０１は、設置機器管理情報のリストテーブルを取得し、図面データ上に配置する設置機器を選択できるように、設置機器リストを表示する。ＣＰＵ１０１は、設置機器管理情報に、サムネイルや説明文が格納されている場合には、設置機器リストに、機器名だけでなく、設置機器のサムネイルや機器の説明文を合わせて表示してもよい。
【００３２】
次に、Ｓ４０１において、ＣＰＵ１０１は、図面読込指示を受け付けたか否かを確認する。ＣＰＵ１０１は、ユーザにより図面読込ボタン３０３が押された場合に、図面データの読込指示を受け付ける。ＣＰＵ１０１は、図面読込指示を受け付けた場合には（Ｓ４０１でＹｅｓ）、処理をＳ４０３へ進める。ＣＰＵ１０１は、図面読込指示を受け付けなかった場合には（Ｓ４０１でＮｏ）、処理をＳ４０２へ進める。Ｓ４０２において、ＣＰＵ１０１は、ユーザ操作に応じて、アプリケーションの終了指示を受け付けたか否かを確認する。ＣＰＵ１０１は、終了指示を受け付けた場合には（Ｓ４０２でＹｅｓ）、支援処理を終了する。ＣＰＵ１０１は、終了指示を受け付けなかった場合には（Ｓ４０２でＮｏ）、処理をＳ４０１へ進める。
【００３３】
Ｓ４０３において、ＣＰＵ１０１は、図面読込指示に係る図面データを描画する。ここで、ＣＰＵ１０１は、ユーザが指定したＲＯＭ１０２や外部記憶装置１０４にあるファイルより図面データを取得してもよいし、インターネットを経由して、監視カメラ設置場所の地図データより図面データを取得してもよい。このようにＣＰＵ１０１は、図面データを取得する取得機能も有する。ＣＰＵ１０１は、取得した図面データを、図２（ａ）に示す図面管理情報の図面データ２０２に格納する。ＣＰＵ１０１はまた、取得した図面データのデータタイプ情報も取得し、これを図面データタイプ情報２０１に格納する。例えば、取得した図面データが「ｃ:￥ｄａｔａ￥ｆａｃｔｏｒｙ.ｊｐｇ」であった場合、ＣＰＵ１０１は、図面データタイプ情報２０１には、ＪＰＥＧファイルであることを示す情報を格納する。ＣＰＵ１０１はまた、取得した図面データを図面データ表示領域３０２に描画表示する。
【００３４】
なお、ＣＰＵ１０１は、図面データが描画フォーマットの画像ファイルでない場合は所定の画像ファイルフォーマットへの変換を行う。例えば、取得したデータがＤＸＦフォーマットのＣＡＤデータであり、描画する図面データのフォーマットがＪＰＥＧであったとする。この場合、ＣＰＵ１０１は、ＤＸＦフォーマットからＪＰＥＧフォーマットへの変換を行う。ＣＰＵ１０１は、既知の従来技術に基づき、変換処理を行うものとする。
【００３５】
次に、Ｓ４０４において、ＣＰＵ１０１は、取得した図面データの縮尺サイズを取得する。ＣＰＵ１０１は、例えば、図３の支援画面３００の縮尺バー３０５として図面上に描画されている線の長さをある特定の長さとした場合、その特定の長さが図面上のどの長さになるか線幅を変更する。そして、ＣＰＵ１０１は、変更された線の長さを求め、図面上の縮尺スケールを求める。ＣＰＵ１０１は、求めた縮尺スケールを、図面管理情報の縮尺サイズ情報２０３に格納する。次に、Ｓ４０５において、ＣＰＵ１０１は、終了指示を受け付けたか否かを確認する。ＣＰＵ１０１は、終了指示を受け付けた場合には（Ｓ４０５でＹｅｓ）、支援処理を終了する。ＣＰＵ１０１は、終了指示を受け付けなかった場合には（Ｓ４０５でＮｏ）、処理をＳ４０６へ進める。
【００３６】
Ｓ４０６において、ＣＰＵ１０１は、設置機器の配置指示を受け付けたか判断する。ＣＰＵ１０１は、例えば、図３に示す支援画面３００の設置機器リストより機器が選択され、図面データ上において、配置位置が指定された場合に、設置機器の配置指示を受け付ける（受付処理）。なお、設置機器の配置指示は、配置対象の機器及び配置位置を含む情報である。ＣＰＵ１０１は、設置機器の配置指示を受け付けた場合には（Ｓ４０６でＹｅｓ）、処理をＳ４０７へ進める。ＣＰＵ１０１は、設置機器の配置指示を受け付けなかった場合には（Ｓ４０６でＮｏ）、処理をＳ４０８へ進める。Ｓ４０７において、ＣＰＵ１０１は、図面データ上において、配置指示に示される配置位置に設置機器シンボルを描画し、その後処理をＳ４０５へ進める。なお、設置機器の描画処理（Ｓ４０７）については、図５を参照しつつ後述する。
【００３７】
Ｓ４０８において、ＣＰＵ１０１は、被写体シンボルの配置指示が行われたか判断する。ＣＰＵ１０１は、例えば、図３に示す支援画面３００の被写体ボタン３０４が押され、図面データ上において、配置指示が指定された場合に、被写体の配置指示を受け付ける。なお、被写体の配置指示は、配置対象の被写体のタイプ及び配置位置を含む情報である。ＣＰＵ１０１は、被写体の配置指示を受け付けた場合には（Ｓ４０８でＹｅｓ）、処理をＳ４０９へ進める。ＣＰＵ１０１は、被写体の配置指示を受け付けなかった場合には（Ｓ４０８でＮｏ）、処理をＳ４１０へ進める。Ｓ４０９において、ＣＰＵ１０１は、図面データ上において、配置指示に示される配置位置に被写体シンボルを描画し、その後処理をＳ４０５へ進める。
【００３８】
Ｓ４１０において、ＣＰＵ１０１は、被写体の移動又は回転の指示を受け付けたか否かを確認する。ＣＰＵ１０１は、被写体の移動又は回転の指示を受け付けた場合には（Ｓ４１０でＹｅｓ）、処理をＳ４１１へ進める。ＣＰＵ１０１は、被写体の移動又は回転の指示を受け付けなかった場合には（Ｓ４１０でＮｏ）、処理をＳ４１２へ進める。Ｓ４１１において、ＣＰＵ１０１は、指示に従い、図面データ上の被写体シンボルを移動または回転する。
【００３９】
Ｓ４１２において、ＣＰＵ１０１は、撮影範囲の変更指示を受け付けたか否かを確認する。ＣＰＵ１０１は、例えば、撮影範囲を選択し、撮影範囲の領域を変更する操作が行われた場合に、撮影範囲の変更指示を受け付ける。ＣＰＵ１０１は、撮影範囲の変更指示を受け付けた場合には（Ｓ４１２でＹｅｓ）、処理をＳ４１３へ進める。ＣＰＵ１０１は、撮影範囲の変更指示を受け付けなかった場合には（Ｓ４１２でＮｏ）、処理をＳ４０５へ進める。Ｓ４１３において、ＣＰＵ１０１は、変更されたサイズに基づき撮影範囲の描画処理を行う。
【００４０】
図５は、図４を参照しつつ説明した機器シンボルの描画処理（Ｓ４０７）における詳細な処理を示すフローチャートである。Ｓ５００において、ＣＰＵ１０１は、設置機器リストより選択された設置機器の設置機器関連情報を取得する。次に、Ｓ５０１において、ＣＰＵ１０１は、取得した設置機器関連情報を参照し、選択された設置機器の種類が照明機器か否かを確認する。ＣＰＵ１０１は、設置機器の種類が照明機器でない場合には（Ｓ５０１でＮｏ）、処理をＳ５０２へ進める。ＣＰＵ１０１は、設置機器の種類が照明機器の場合には（Ｓ５０１でＹｅｓ）、処理をＳ５０８へ進める。
【００４１】
Ｓ５０２において、ＣＰＵ１０１は、配置指示に係る配置座標を取得し、これを配置指示に係る設置機器の設置機器座標情報として、Ｓ５００において取得した設置機器関連情報と共に、ＲＡＭ１０３に記録する。次に、Ｓ５０３において、ＣＰＵ１０１は、図面データ上に、配置指示に係る設置機器のシンボルを描画する。つまり、ＣＰＵ１０１は、図面データ上に、配置指示に係る設置機器のシンボルを表示するよう出力装置１０８を制御する。ＣＰＵ１０１は、具体的には、Ｓ５０２において記録した設置機器座標情報に示される位置に、設置機器関連情報の設置機器シンボルデータに示されるシンボルを描画する。例えば、配置指示に係る設置機器が監視カメラであった場合には、ＣＰＵ１０１は、監視カメラを示す監視カメラシンボルを描画する。また、配置指示に係る設置機器がスピーカであった場合には、ＣＰＵ１０１は、そのスピーカを示すスピーカシンボルを描画する。図３に示す例においては、設置機器シンボルは、２次元画像であるが、これに限定されるものではなく、設置機器シンボルは、３次元画像であってもよい。ここで、監視カメラシンボルは、監視カメラ画像の一例であり、Ｓ５０３の処理は、監視カメラ画像を図面データ上に描画する描画処理の一例である。
【００４２】
次に、Ｓ５０４において、ＣＰＵ１０１は、設置機器の種類が監視カメラか否かを確認する。ＣＰＵ１０１は、設置機器の種類が監視カメラの場合には（Ｓ５０４でＹｅｓ）、処理をＳ５０５へ進める。ＣＰＵ１０１は、設置機器の種類が監視カメラでない場合には（Ｓ５０４でＮｏ）、設置機器シンボルの描画処理を終了する。Ｓ５０５において、ＣＰＵ１０１は、図面データ上に、監視カメラの撮影範囲をさらに描画する。なお、撮影範囲の描画処理（Ｓ５０５）については、図６を参照しつつ後に詳述する。
【００４３】
次に、Ｓ５０６において、ＣＰＵ１０１は、監視カメラにＬＥＤ等の付属照明（付属照明部）が設けられているか否かを確認する。ＣＰＵ１０１は、図２（ｃ）に示す設置機器関連情報の光源情報４１１を参照することにより、付属照明の有無を確認することができる。ＣＰＵ１０１は、付属照明が設けられている場合には（Ｓ５０６でＹｅｓ）、処理をＳ５０７へ進める。ＣＰＵ１０１は、付属照明が設けられていない場合には（Ｓ５０６でＮｏ）、設置機器シンボルの描画処理を終了する。
【００４４】
Ｓ５０７において、付属照明の照射範囲の描画処理を行う。付属照明の描画処理（Ｓ５０７）については、図８を参照しつつ後述する。以上で、設置機器シンボルの描画処理が終了する。また、Ｓ５０８において、ＣＰＵ１０１は、照明機器の描画処理を行う。照明機器の描画処理（Ｓ５０８）については、図９を参照しつつ後述する。
【００４５】
図６は、図５を参照しつつ説明した撮影範囲の描画処理（Ｓ５０５）における詳細な処理を示すフローチャートである。Ｓ６００において、ＣＰＵ１０１は、選択された監視カメラの画角情報、パン角度及びチルト角度を、設置機器管理情報から取得する。具体的には、ＣＰＵ１０１は、画角情報を設置機器管理情報の水平画角情報４０７と垂直画角情報４０８より取得する。ＣＰＵ１０１はまた、パン角度範囲及びチルト角度範囲をそれぞれ設置機器管理情報のパン角度範囲４０９及びチルト角度範囲４１０より取得する。
【００４６】
次に、Ｓ６０１において、ＣＰＵ１０１は、図面管理情報の縮尺サイズ情報２０３より、縮尺サイズ情報を取得する。次に、Ｓ６０２において、ＣＰＵ１０１は、画角情報、パン角度範囲及びチルト角度範囲に基づいて、撮影範囲を特定し、縮尺サイズ情報に応じて、撮影範囲に対応する図面データ上の範囲を特定する。そして、ＣＰＵ１０１は、図面データ上に、撮影範囲の描画処理を行う。つまり、ＣＰＵ１０１は、図面データ上に、撮影範囲を示す情報を表示するよう出力装置１０８を制御する。
【００４７】
図７（ａ）は、撮影範囲の描画処理（Ｓ６０２）の説明図である。図７（ａ）には、図３に示した監視カメラシンボル３０６と、撮影範囲３０７とを示している。図７（ａ）の例では、撮影範囲３０７は、点Ａ、点Ｂ及び点Ｃを頂点とする三角形の領域となる。この領域の求め方は次の通りである。すなわち、図２（ｃ）に示す設置機器管理情報の水平画角情報４０７の水平角度より点Ａの角度θ°を求める。例えば、撮影ターゲットの位置が点Ｄであった場合、以下の式より、点Ｂ及び点Ｃの座標を求めることができる。
ＢＤ間の距離（ＣＤ間の距離）＝ｔａｎ（角度θ×０．５）°×ＡＤ間の距離      …（式１）
ＣＰＵ１０１は、撮影範囲３０７を算出すると、監視カメラシンボル３０６の撮影方向に沿って、撮影範囲を描画する。ＣＰＵ１０１は、監視カメラシンボル３０６が配置される位置に応じて撮影範囲３０７の表示位置も変える。ＣＰＵ１０１はさらに、撮影範囲３０７の座標を示す撮影範囲座標情報を、配置指示に係る設置機器の設置機器管理情報に紐付けて、ＲＡＭ１０３に記録する。なお、撮影範囲座標情報は、図７（ａ）の例では、撮影範囲の点Ａ、点Ｂ、及び点Ｃの座標を示す情報である。
【００４８】
ＣＰＵ１０１は、Ｓ６０２の処理の後、処理をＳ６０３へ進める。Ｓ６０３において、ＣＰＵ１０１は、監視カメラの撮影範囲が、図面データ上に既に描画されている照明機器の照明範囲と重なるか否かを確認する。ＣＰＵ１０１は、撮影範囲が照明範囲と重なる場合には（Ｓ６０３でＹｅｓ）、処理をＳ６０４へ進める。ＣＰＵ１０１は、撮影範囲が照明範囲と重ならない場合には（Ｓ６０３でＮｏ）、撮影範囲の描画処理を終了する。
【００４９】
Ｓ６０４において、ＣＰＵ１０１は、撮影範囲のうち、照明範囲と重なる、重なり領域を識別可能とすべく、重なり領域の表示態様を他の領域の表示態様と異なる表示態様に変更する。なお、表示態様を変更する処理は特に限定されるものではない。ＣＰＵ１０１は、例えば、重なり領域の表示色を他の領域の表示色と異なる色に変更してもよく、また他の例としては、ＣＰＵ１０１は、重なり領域のハッチングを他の領域のハッチングと異なる種類のものに変更してもよい。また他の例としては、ＣＰＵ１０１は、重なり領域の境界を示す太線を描画してもよい。なお、Ｓ６０４の処理は、重なり領域を示す情報を描画する描画処理の一例である。次に、Ｓ６０５において、ＣＰＵ１０１は、警告メッセージを表示する（表示処理）。監視カメラの撮影範囲が照明機器の照射領域と重なる場合には、照明機器の照射により監視カメラの撮影領域が逆光で正常に撮影されない場合があるためである。以上で、撮影範囲の描画処理が終了する。
【００５０】
図８は、図５を参照しつつ説明した付属照明の描画処理（Ｓ５０７）における詳細な処理を示すフローチャートである。Ｓ８００において、ＣＰＵ１０１は、Ｓ５０２においてＲＡＭ１０３に格納した機器座標情報、すなわち監視カメラシンボルの配置座標を取得する。図７の例では、点Ａの座標が監視カメラシンボルの配置座標となる。次に、Ｓ８０１において、ＣＰＵ１０１は、Ｓ５０５においてＲＡＭ１０３に格納した撮影範囲座標情報を取得する。ＣＰＵ１０１は、撮影範囲情報から、図７（ａ）に示す点Ａ〜点Ｃの座標を特定する。ＣＰＵ１０１はさらに、点Ａと点Ｃの線分の中心となる点Ｄの座標も特定する。
【００５１】
次に、Ｓ８０２において、ＣＰＵ１０１は、Ｓ８００及びＳ８０１において取得した監視カメラシンボルの配置座標及び撮影範囲座標情報に基づいて、照射中心線を特定する。ＣＰＵ１０１は、具体的には、点Ａと点Ｄを結ぶ直線を撮影中心線として特定し、撮影中心線を照射中心線として特定する。なお、撮影中心線は、撮影方向に延びる直線である。次に、Ｓ８０３において、ＣＰＵ１０１は、設置機器管理情報より、照射角度情報及び照射距離情報をそれぞれ照射角度情報４１２と照射距離情報４１３を取得する。
【００５２】
次に、Ｓ８０４において、ＣＰＵ１０１は、Ｓ８０２において特定した照射中心線上に、照射距離情報に示される照射距離に相当する長さの矢印画像を描画する。図７（ａ）の例では、照射距離は、点Ａから点Ｅの距離に相当し、これに対応して、矢印画像７００が描画される。ＣＰＵ１０１は、照射距離に相当する長さを算出する際に、図２（ａ）に示す図面管理情報の縮尺サイズ情報２０３を参照する。すなわち、ＣＰＵ１０１は、縮尺サイズ情報２０３の縮尺サイズより図面データ上のサイズへの変換を行い、変換後の照射距離の長さを描画する。例えば、照射距離が３００ｍ、縮尺サイズが図７（ａ）に示す１マスが１００ｍとする。この場合、ＣＰＵ１０１は、３マス分の長さを照射距離とし、点Ａを起点として、矢印画像７００を描画する。つまり、ＣＰＵ１０１は、図面データ上に照射距離を示す情報を表示するよう出力装置１０８を制御する。Ｓ８０４の処理は、監視カメラの撮影方向に沿った直線を照射距離として描画する処理の一例である。
【００５３】
次に、Ｓ８０５において、ＣＰＵ１０１は、図２（ｃ）の設置機器管理情報の照射角度情報４１２に照射角度情報が格納されているか否かを確認する。ＣＰＵ１０１は、照射角度情報が格納されている場合には（Ｓ８０５でＹｅｓ）、処理をＳ８０６へ進める。ＣＰＵ１０１は、照射角度情報が格納されていない場合には（Ｓ８０５でＮｏ）、付属照明の描画処理を終了する。すなわち、照射角度情報がない場合には、照射範囲は描画されず、照射距離のみが描画される。Ｓ８０６において、ＣＰＵ１０１は、付属照明の照射範囲を描画する。図７（ａ）の例では、ＣＰＵ１０１は、Ｓ８０３において取得した照射角度情報４１２に基づいて、点Ｆ及び点Ｇの座標を求め、点Ａ、点Ｆ及び点Ｇを頂点とする三角形の範囲を算出する。そして、ＣＰＵ１０１は、点Ａ、点Ｆ及び点Ｇを頂点とする三角形の範囲を照射範囲として図面データ上に描画する。つまり、ＣＰＵ１０１は、図面データ上に照射範囲を示す情報を表示するよう出力装置１０８を制御する。また、ＣＰＵ１０１は、監視カメラシンボル３０６が配置される位置に応じて照射範囲の表示位置も変える。Ｓ８０６の処理は、照射範囲を算出する算出処理、照射範囲を図面データ上に描画する描画処理の一例である。
【００５４】
次に、Ｓ８０７において、ＣＰＵ１０１は、照射範囲が撮影範囲と重なるか否かを確認する。ＣＰＵ１０１は、照射範囲が撮影範囲と重なる場合には（Ｓ８０７でＹｅｓ）、処理をＳ８０８へ進める。ＣＰＵ１０１は、照射範囲が撮影範囲と重ならない場合には（Ｓ８０７でＮｏ）、付属照明の描画処理を終了する。Ｓ８０８において、ＣＰＵ１０１は、照射範囲のうち、撮影領域範囲と重なる、重なり領域の表示態様を他の領域の表示態様と異なる表示態様に変更する。図７（ａ）の例では、点Ａ、点Ｈ、点Ｉを頂点とする三角形の領域７２０が重なり領域であるため、ＣＰＵ１０１は、この領域の表示態様を変更する。また、図７（ｂ）は、撮影範囲の画角よりも照射角度が広い場合を示す図である。この場合、領域７３０が重なり領域となる。
【００５５】
図９は、図５を参照しつつ説明した、照明機器の描画処理（Ｓ５０８）における詳細な処理を示すフローチャートである。Ｓ９００において、ＣＰＵ１０１は、配置指示に係る配置座標を取得し、これを配置指示に係る設置機器の設置機器座標情報として、Ｓ５００において取得した設置機器関連情報と共に、ＲＡＭ１０３に記録する。図１０の例で述べると水平図面では点Ｌの座標が配置座標として取得される。ＣＰＵ１０１は、立体図においてデフォルトで指定された高さをさらに取得する。なお、高さを示す情報は、例えば外部記憶装置１０４に設定されているものとする。
【００５６】
次に、Ｓ９０１において、ＣＰＵ１０１は、図面データ上に、配置指示に係る照明機器シンボル（照明機器画像）を描画する。つまり、ＣＰＵ１０１は、図面データ上に照明機器シンボルを表示するよう出力装置１０８を制御する。ＣＰＵ１０１は、具体的には、Ｓ５０２において記録した設置機器座標情報に示される位置に、設置機器関連情報の設置機器シンボルデータに示されるシンボル、すなわち照明機器シンボルを描画する。次に、Ｓ９０２において、ＣＰＵ１０１は、光源情報及び照射距離情報をそれぞれ設置機器管理情報の光源情報５０３及び照射距離情報５０４から取得する。なお、他の例としては、ユーザが、設置を希望する照明機器に関し、光源情報及び照射距離情報を入力してもよい。この場合、ＣＰＵ１０１は、ユーザにより入力された光源情報及び照射距離情報を取得する。
【００５７】
次に、Ｓ９０３において、ＣＰＵ１０１は、照明機器の照射範囲を描画する。つまり、ＣＰＵ１０１は、図面データ上に照明機器の照射範囲を示す情報を表示するよう出力装置１０８を制御する。図１０の例では、ＣＰＵ１０１は、照射機器の配置高さ座標Ｍから照明機器の照射方向（照射角度）のユーザ入力を受け付ける。ＣＰＵ１０１は、高さ座標Ｍと照射方向とに基づいて、床との接点Ｎを求め、点Ｍと点Ｎを通る直線を照射中心線として特定する。そして、ＣＰＵ１０１は、照射中心線に沿うように、点Ｍを起点とする、照射距離分の長さの矢印画像１０００を描画する。そして、ＣＰＵ１０１は、ユーザ入力された照射角度と照射距離より照射領域を算出し（算出処理）、照射領域を描画する。立面図では、座標Ｏら座標Ｎの長さを以下の（式２）により求めることができる。
ＮＯ間の距離＝ｔａｎ（照射角度×０．５）°×照射距離      …（式２）
水平図面では、上記の座標Ｎから座標Ｏの距離が座標Ｌから座標Ｑの長さとなり、照射範囲１０１０が描画される。立面図では、照射範囲１０１０に対応する照射範囲１０２０が描画される。
【００５８】
ＣＰＵ１０１は、Ｓ９０３の処理の後、処理をＳ９０４へ進める。Ｓ９０４において、ＣＰＵ１０１は、照明機器の照明範囲が、図面データ上に既に描画されている監視カメラの撮影範囲と重なるか否かを確認する。ＣＰＵ１０１は、照明範囲が撮影範囲と重なる場合には（Ｓ９０４でＹｅｓ）、処理をＳ９０５へ進める。ＣＰＵ１０１は、照明範囲が撮影範囲と重ならない場合には（Ｓ９０４でＮｏ）、照明機器の描画処理を終了する。
【００５９】
Ｓ９０４において、ＣＰＵ１０１は、照明範囲のうち、撮影範囲と重なる、重なり領域の表示態様を他の領域の表示態様と異なる表示態様に変更する。本処理は、Ｓ６０４の処理と同様である。次に、Ｓ９０５において、ＣＰＵ１０１は、警告メッセージを表示する。以上で、撮影範囲の描画処理が終了する。例えば、図１１に示す例においては、監視カメラ１１００の撮影範囲１１０１と、照明機器１１１０の照射領域１１１１とが重なっている。この場合、重なり領域１１２０が他の領域と異なる表示態様で描画される。
【００６０】
以上のように、本実施形態に係る情報処理装置１００は、監視カメラが備える付属照明の照射範囲や、監視カメラの周囲に配置された照明機器の照明範囲を監視カメラの撮影範囲と共に描画する。したがって、ユーザは、監視カメラの周囲の明るさに関する情報も考慮して、適切な撮影画像を得ることができるような監視カメラの配置を検討することができる。
【００６１】
なお、本実施形態においては、特定領域内の少なくとも一部の領域の明るさを示す情報として、照明範囲を示す画像を描画することとしたが、これに限定されるものではない。ＣＰＵ１０１は、他の例としては、明るさを示す情報として、照射範囲を示すテキスト情報等を表示してもよい。
【００６２】
また、第１の変更例としては、ＣＰＵ１０１は、撮影範囲の描画処理（Ｓ５０５）において、監視カメラが備える付属照明の明るさをさらに考慮して、撮影範囲を特定してもよい。ＣＰＵ１０１は、被写体までの距離に応じた照度情報より、（式３）を用いて撮影範囲を区分表示することが可能になる。
Ｅ＝Ｉ／Ｓ＾２      …（式３）
ここで、Ｅは、照度（Ｌｕｘ）を示す。照度は、単位面積あたりに入射する光束の量であり、光源によって照らされている面の明るさの程度を示す。Ｉは、光度（ｃｄ）を示す。光度は、ある方向へ単位立体角あたりの光束を示し、各方向への光の強さを表す。Ｓは、光源からの距離を示す。同じ光度の光源からの距離が２倍になれば、照度は１／４になり、距離が１／２になれば照度は４倍になる。
【００６３】
例えば、画角設定した照度情報がＸＬｕｘで、被写体までの距離がＳ１：５００ｍとし、付属照明の明るさをＹＬｕｘとする。この場合、付属照明をオンした場合の撮影範囲の距離をＳ２とすると、（式４）より、Ｓ２が得られる。すなわち、情報処理装置１００は、Ｓ２により、撮影範囲を特定してもよい。
ＸＬｕｘ：ＹＬｕｘ＝５００ｍ：Ｓ２      …（式４）
【００６４】
また、照度情報として、ＪＩＳで定めている照度基準表を適用することも可能である。情報処理装置１００は、例えば、直射日光が当たっている場合の照度を１００，０００Ｌｕｘ、快晴時を１０，０００Ｌｕｘ、曇天の昼時を１，０００Ｌｕｘとして、撮影範囲を決定してもよい。ＣＰＵ１０１は、被写体までの距離に応じた照度情報より、（式４）により、監視カメラの周囲の照度に基づいて、撮影範囲を特定してもよい。
【００６５】
以上、本発明の好ましい実施形態について詳述したが、本発明は係る特定の実施形態に限定されるものではなく、特許請求の範囲に記載された本発明の要旨の範囲内において、種々の変形・変更が可能である。
【００６６】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６７】
１００  情報処理装置
１０１  ＣＰＵ
１０２  ＲＯＭ
１０３  ＲＡＭ
【図１】
0006624847.tif 000002
【図２】
0006624847.tif 000003
【図３】
0006624847.tif 000004
【図４】
0006624847.tif 000005
【図５】
0006624847.tif 000006
【図６】
0006624847.tif 000007
【図７】
0006624847.tif 000008
【図８】
0006624847.tif 000009
【図９】
0006624847.tif 000010
【図１０】
0006624847.tif 000011
【図１１】
0006624847.tif 000012